(57)【要約】【課題】防蟻性と気密性とに優れた基礎構造の建物を提供する。【解決手段】コンクリート製の基礎１の上面に、パッキン材３を介して土台２が載置されている。パッキン材３は、柔軟な樹脂又はゴム製のシート材１１と、その上面に設けた複数本の突条１２とで構成されている。突条１２は発泡シリコーンからなっており、防蟻剤として、安全性と効果とに優れた遅効性のチアメトキサムが混合されている。チアメトキサムは分解温度が１３９℃であるが、発泡シリコーンは常温で発泡し、しかも、弾性に優れている。基礎１と土台２との間にはスペーサ４が介在しているため、突条１２が過剰に潰れることはないため、高い耐久性を維持できるし、スペーサ４が免震機能を有する場合の追従性も確保できる。【選択図】図１
2019027168.tif 000002
【特許請求の範囲】
【請求項１】
コンクリート製基礎の上に土台が配置されており、前記基礎と土台との間に、前記基礎及び土台２の長手方向に飛び飛びに配置されたスペーサと、前記基礎及び土台の全長に亙って延びるパッキン材とが介在している構成であって、
前記パッキン材は、帯状の軟質シート材と、前記シート材の上面又は下面若しくは両面に設けた１本又は複数本の軟質発泡材製突条とから成っており、少なくとも前記突条に防蟻剤を混入させている、
気密基礎構造の建物。
【請求項２】
前記突条は発泡シリコーンからなっていて、前記防蟻剤としてチアメトキサムが混入されている、
請求項１に記載した気密基礎構造の建物。
【請求項３】
前記シート材にも防蟻剤が混入又は塗布されていて、このシート材に、前記土台の片側又は両側にはみ出る余白部が形成されており、前記余白部は上に折り返されて前記土台の側面に重ね保持されている、
請求項１又は２に記載した気密基礎構造の建物。
【請求項４】
前記スペーサは前記シート材の突条に重なる大きさであり、前記突条のうちスペーサが重なる部分は切除されている、
請求項１〜３のうちのいずれかに記載した気密基礎構造の建物。
【請求項５】
コンクリート製基礎とその上に配置された土台との間に配置されるパッキン材であって、
帯状の軟質シート材と、前記シート材の上面又は下面若しくは両面に設けた１本又は複数本の軟質発泡材製突条とから成っており、前記突条は発泡シリコーンからなっていて、防蟻剤としてチアメトキサムが混入されている、
気密基礎構造の建物に使用するパッキン材。
【発明の詳細な説明】
【技術分野】
【０００１】
本願発明は、気密基礎構造の建物及びこれに使用するパッキン材に関するものである。
【背景技術】
【０００２】
木造住宅やプレハブ式住宅では、コンクリート製の基礎を地面に施工してから、基礎の上面に木製の土台を載置し、土台の上に建物の上部分を構築しており、基礎と土台との間にパッキンを配置して気密基礎構造とすることが行われている。
【０００３】
このような気密基礎構造を採用するのは、白蟻の侵入防止や断熱性向上のためであり、その例として特許文献１の図４には、パッキンを防蟻性のシートに形成して、その上面に２本の突条を設けることが開示されている。
【先行技術文献】
【特許文献】
【０００４】
【特許文献１】特許第３５２７６５４号公報
【発明の概要】
【発明が解決しようとする課題】
【０００５】
シート状のパッキン材（例えばゴムシート）は潰れ変形量が僅かであるため、基礎と土台との間にシート状のパッキンを挟んだだけの構成であると、基礎の上面の不陸がある程度大きいと、基礎とパッキンとの間、又は、パッキンと土台との間に隙間が生じるおそれがあるが、特許文献１の図３，４のようにパッキン材に突条を設けると、突条の変形量は大きいため、基礎の不陸が大きくても、基礎と土台との間の隙間を塞いで高い気密性を確保できる利点がある。
【０００６】
しかし、単に突条付きのパッキンを基礎と土台との間に介在させただけでは、突条が潰れ過ぎて劣化が早まる可能性が懸念される。また、基礎には所定間隔で多数のアンカーボルトを立設しており、アンカーボルトに嵌まった多数本の土台を若干ずらしながら連結して全体として枠体に組み込んでいるが、土台が単にパッキンに載っているだけであると、摩擦が大きいため、土台同士を連結するに際して、土台をずらしにくくなるおそれも懸念される。
【０００７】
本願発明はこのような現状に鑑み成されたものであり、気密性に優れて免震構造への対応性にも優れた気密基礎構造の建物を提供せんとするものである。
【課題を解決するための手段】
【０００８】
本願発明は気密基礎構造の建物とパッキン材とを含んでおり、典型的な構成を各請求項で特定している。このうち請求項１の発明は気密基礎構造の建物に関するものであり、気密基礎構造の建物は、コンクリート製基礎の上に土台が配置されており、前記基礎と土台との間に、前記基礎及び土台の長手方向に飛び飛びに配置されたスペーサと、前記基礎及び土台の全長に亙って延びるパッキン材とが介在している、という基本構成である。
【０００９】
そして、請求項１では、前記パッキン材は、帯状の軟質シート材と、前記シート材の上面又は下面若しくは両面に設けた１本又は複数本の軟質発泡材製突条とから成っており、少なくとも前記突条に防蟻剤を混入させている。
【００１０】
請求項２の発明は請求項１を好適に具体化したもので、この発明では、前記突条は発泡シリコーンからなっていて、前記防蟻剤としてチアメトキサムが混入されている。
【００１１】
請求項２では防蟻剤としてチアメトキサムを混入したが、防蟻剤としては他にも様々なもの（殺虫剤）を使用できる。例えば、チアメトキサムと同じネオニコチノイド系のものであると、クロニアチジン、イミダクロプリド、ジノテフランなどが挙げられる。
【００１２】
他の化学系防蟻剤として、カーバメート系のフェノブカブル、ピレスロイド系のペルメトリン、ビフェントリン、トラロメトリン、ピレスロイド系のエトフェンプロックス、フェニルピラゾール系のフィプロニル、フェニルピロール系のクロルフェナピルなどが挙げられる。ホウ酸や天然系薬剤なども採用可能である。また、複数種類の防蟻剤を混入することも可能である。
【００１３】
請求項３の発明は、請求項１又は２において、前記シート材にも防蟻剤が混入又は塗布されていて、このシート材に、前記土台の片側又は両側にはみ出る余白部が形成されており、前記余白部は上に折り返されて前記土台の側面に重ね保持されている。
【００１４】
請求項４の発明は、請求項１〜３のうちのいずれかにおいて、前記スペーサは前記シート材の突条に重なる大きさであり、前記突条のうちスペーサが重なる部分は切除されている。
【００１５】
パッキン材は請求項５で特定している。すなわち、この発明は、コンクリート製基礎とその上に配置された土台との間に配置されるパッキン材であって、帯状の軟質シート材と、前記シート材の上面又は下面若しくは両面に設けた１本又は複数本の軟質発泡材製突条とから成っており、前記突条は発泡シリコーンからなっていて、防蟻剤としてチアメトキサムが混入されている。チアメトキサム以外の防蟻剤も使用できることは、既に述べたとおりである。
【発明の効果】
【００１６】
本願発明では、少なくとも突条に防蟻材が含まれているため、白蟻が基礎と土台との間から侵入することを防止して、土台などの木材が白蟻の被害を受けることを防止できる。特に、白蟻は木材の木口から侵入して年輪の柔らかい層を食い進む性質があり、アンカーボルトが嵌まっているボルト挿通穴に侵入すると、穴の内周面から年輪の柔らかい層に至って食害を受けやすいが、本願発明では、白蟻がボルト挿通穴に至ることを防止できるため、土台の食害を防止できる。
【００１７】
また、基礎と土台との間の間隔はスペーサで規定されているため、パッキン材の突条が過度に潰れることはない。このため、突条の耐久性を向上できる。また、土台はスペーサに載っているため、突条が潰れ変形していてもパッキン材と土台との間に大きな摩擦は存在しておらず、土台同士の連結作業において土台を水平方向に若干ずらすことを容易に行える。従って、建物の施工の能率向上にも貢献できる。
【００１８】
更に、本願発明では、スペーサとして免震機能を備えたものを使用可能であり、地震に際しては、基礎と土台とが水平方向に相対動することによって免震（減震）されるが、突条は過剰に潰れていないため、基礎と土台との相対動の抵抗にはならず、免震機能を阻害することはない。
【００１９】
突条に高いシール性を持たせるには、弾性変形量が大きい材料を選択したらよい。他方、防蟻剤は効果と人体への安全性との両方の性質を備えているものが好適であり、チアメトキサムが好適である。しかし、チアメトキサムは耐熱性が低くて、１３９℃を越えると分解してしまう性質がある。
【００２０】
そして、突条の材料として弾性や強度だけに着目すると、例えば発泡ウレタン樹脂は好適であるといえるが、ウレタン樹脂は発泡温度が一般に１５０〜２００℃であるため、チアメトキサムを混合して変質させることなく発泡させることは難しい。
【００２１】
これに対して本願発明の請求項２，５のように、突条として発泡シリコーンを使用すると、シリコーンは常温で発泡して固形化するため、チアメトキサムを添加した分解させることなく発泡させることができ、しかも、弾性変形量は大きいため、高いシール性を確保することができる。免震スペーサを使用した場合は、基礎と土台との相対動に対する変形の追従性にも優れているため、免震気密基礎構造としても好適である。
【００２２】
シート材にも防蟻性能を持たせるのが好ましいが、請求項３のように、シート材の余白部を土台の側面に重ねると、白蟻が基礎と土台との間に入り込むことを防止できるため、建物の防蟻性を一層向上させることができる。この場合、ベタ基礎の場合は、土台のうち建物の外面を構成する側面に余白部を重ねたらよく、布基礎の場合は、余白部を各土台の両側面に重ねたらよい。
【００２３】
スペーサとパッキン材との配置関係を見ると、作業性の点からは、基礎の上にパッキン材を重ねて、その上にスペーサを配置するのが好ましい。そして、スペーサは、土台の安定性を確保するためにはできるだけ大きくするのが好ましく、すると、スペーサは突条に重なりやすくなる。
【００２４】
この場合、スペーサを突条に重ねたままにして、建物の重量によって突条のうちスペーサが載っている部分を押し潰すことも可能であるし、請求項４のように、突条のうちスペーサが重なる部分を切除しておくことも可能である。そして、請求項４のように構成すると、スペーサの全体がシート材にきっちり重なるため、高い安定性を確保することができて好適であるといえる。
【００２５】
請求項５のように防蟻剤としてチアメトキサムを使用すると、遅効性で高い防蟻効果を長期に亙って発揮し続ける利点と、人に対する安全性に優れている利点とがあって、建物用の防蟻剤として好適である。
【図面の簡単な説明】
【００２６】
【図１】第１実施形態を示す図で、（Ａ）は分離斜視図、（Ｂ）はパッキン材の部分斜視図である。
【図２】施工手順のうち、パッキン材とスペーサとのセット段階を示す図である。
【図３】施工手順のうち、土台のセット段階を示す図である。
【図４】施工手順のうち、スペーサ周辺部のシール段階を示す図である（（Ａ）は断面図、（Ｂ）は平面図である。）。
【図５】施工手順のうち、シート材の余白部を折り返す工程を示す図である。
【図６】施工後の要部断面図である。
【図７】パッキン材の別例である第２〜５実施形態の平面図である。
【図８】第６〜１０実施形態を示す図である。
【発明を実施するための形態】
【００２７】
(1).第１実施形態
次に、本願発明の実施形態を図面に基づいて説明する。まず、図１〜６に示す第１実施形態を説明する。本実施形態において、建物の基礎部は、図１に示すように、コンクリート製の基礎１と、その上に配置した木製の土台２と、これら基礎１と土台２との間に介在させたパッキン材３及びスペーサ４とを備えている。
【００２８】
本実施形態の基礎１はベタ基礎であり、表面からアンカーボルト５が所定間隔で突設されている。また、基礎１の表裏両面には、コンクリート打設用型枠を兼用する断熱パネル６が貼り付けられている。なお、断熱パネル６は、発泡ポリエチレンや発泡ポリスチレン等の発泡樹脂で製造されている。断熱パネル６は基礎１の外面のみに配置されていてもよい。また、断熱パネル６は、基礎１を施工してから接着剤で接着してもよい。
【００２９】
土台２には、アンカーボルト５が嵌まるボルト挿通穴７を空けている。本実施形態では、土台２の上面に、座金８及びナット９が嵌まる座繰り穴１０を空けているが、座繰り穴１０を空けずに、座金８を土台２の上面に重ねる場合もある。
【００３０】
パッキン材３は、帯状のシート材１１と、その上面に設けた２本の突条１２とで構成されている。シート材１１は土台２の下面全体に重なるようになっており、発泡ポリスチレン等の発泡樹脂シートやゴム板等など、柔軟で圧縮変形する材料からなっている。
【００３１】
本実施形態では、シート材１１は、基礎１の外側にはみ出る余白部１１ａを有している。余白部１１ａの幅は土台２の高さとほぼ同じ寸法になっている。余白部１１ａは、上に折り返して土台２の外側面に重ね固定される。土台２への余白部１１ａの固定は、両面粘着テープで行うこともできるし、予め粘着材（接着材）を塗工しておいて、これを離型紙で覆っておいてもよい。なお、図１のとおり、余白部１１ａの折り目を符号１１ｂで示している。
【００３２】
突条１２は発泡シリコーンからなっており、防蟻剤としてチアメトキサムが混入されている。チアメトキサムの混入量は、外掛け重量比で１００〜１０００ｐｐｍ程度でよい。突条１２は断面角形（四角形）になっているが、断面形状は、台形やカマボコ形、半円状などの様々の形状を採用できる。突条１２をシート材１１に設ける具体的な方法としては、突条１２を押し出し成形や注型成形などで予め製造しておいて、これを接着剤（粘着剤）でシート材１１に接着する方法と、溝部を有する治具を使用して、シート材１１に一体成形する方法とがある。いずれも採用可能である。
【００３３】
スペーサ４はリング板状の形態であり、アンカーボルト５に嵌め込んでいる。アンカーボルト５の外径は、土台２の幅寸法よりも少し小さい寸法になっている。従って、突条１２に上から重なるが、突条１２のうちスペーサ４と重なる部分は切除しており、スペーサ４はその全体がシート材１１に重なっている。
【００３４】
スペーサ４には、免震機能を持たせることが可能である。すなわち、スペーサ４を、上下２枚のプレートを弾性体で連結した構成として、上下２枚のプレートが弾性体の弾性に抗して水平方向に相対動することを許容することにより、土台２の揺れよりも基礎１の揺れを抑制して免震（減震）することができる。このように免震タイプのスペーサ４を使用する場合は、土台２のボルト挿通穴７は通常の場合よりも大径になるし、座金８と座繰り穴１０は円形にするのが好ましい（平座金とばね座金とを併用するのも好ましい。）。
【００３５】
(2).施工手順
図２では、パッキン材３とスペーサ４とをセットする工程を示している。この例では、まず、（Ａ）に示すように、パッキン材３を構成するシート材１１のうち各アンカーボルト５に対応した部位に切り込み１３を入れて、シート材１１をアンカーボルト５の群に上から嵌め入れる。図１に示すように、切り込み１３は十字状に形成してもよい。
【００３６】
次いで、アンカーボルト５にスペーサ４を嵌め入れて、突条１２のうちスペーサ４と重なる部分を刃物で切除する。具体的には、刃物で突条１２に２本の切り込み１２ａを入れて、両切り込みの間の切除部１２ｂをシート材１１から引き剥がしたらよい。
【００３７】
次いで、図３に示すように、土台２をアンカーボルト５に嵌め入れる。これにより、突条１２は土台２の重量によって潰れて広がり変形し、土台２はスペーサ４の群で支持される。基礎１は建物の壁に相当する部分に形成されており、土台２も多数本で構成されているが、各土台２を連結して土台枠を仕上げてから、ナット９をねじ込んで各土台２を固定する。突条１２が潰れてどの程度の範囲まで広がるかは、任意に設定できる。実施形態では、かなり広い範囲に広がるように設定している。
【００３８】
土台２同士を連結する過程で、土台２をアンカーボルト５とボルト挿通穴７とのクリアランスの範囲内でずらすことがあるが、土台２はスペーサ４に載っていて突条１２との間に強い摩擦は生じていないため、土台２のずらしを軽快に行える。従って、土台枠の仕上げ作業を能率よく行えるといえる。
【００３９】
スペーサ４の箇所で突条１２を切除しているため、白蟻がスペーサ４の箇所から土台２の下方に侵入するおそれがある。そこで、本実施形態では、図４に示すように、手動式の２液混合吐出ガン１４により、チアメトキサムが配合された発泡シリコーンフォームをスペーサ４の周囲に噴射し、スペーサ４の周囲の隙間を防蟻層１５で充填している。防蟻層１５は土台２の外にはみ出ていてもよい。
【００４０】
発泡シリコーンフォームは、２液混合吐出ガン１４を使用して、第１カートリッジ１６に充填したＡ液と、第２カートリッジ１７に充填したＢ液とをノズル１８で混合させることによって形成されている。チアメトキサムは、いずれの液に混合しておいてもよい（両方の液に混合しておくことも可能である。）。２液混合吐出ガン１４は、ハンドル付きのグリップを備えており、ハンドルを引いて両カートリッジ１６，１７のプランジャを前進させることにより、発泡シリコーンフォームをノズル１８から吐出させることができる。手動式のガンに代えて、電動式や空圧式のガンを使用してもよい。
【００４１】
なお、発泡シリコーンフォームによる充填作業は、土台２をアンカーボルト５に嵌め込む前に行ってもよい。また、アンカーボルト５とボルト挿通穴７との間の隙間に、発泡シリコーンフォームを注入してもよい。この場合は、白蟻がボルト挿通穴７に入り込むことをシャットアウトできるため、白蟻の食害防止を一層確実化することができる。
【００４２】
次いで、図５に示すように、シート材１１の余白部１１ａを上向きに折り返して土台２の側面に固定する。固定方法は、既述のとおり、両面粘着テープ等を使用したらよい。基礎１が布基礎である場合は、図５（Ｂ）に示すように、シート材１１に、土台２の両側にはみ出る余白部１１ａを形成して、両余白部１１ａを土台２の側面に固定したらよい。
【００４３】
図６では、建物として施工した後の要部の断面の一例を表示している。土台２の外側には、土台２に近い側から順に、外装パネル１９、壁断熱材２０、通気層２１、窯業系等のサイディング２２が形成されており、サイディング２２の下方には水切り材２３が略水平姿勢に配置されている。壁断熱材２０の外面には防水シートが配置されているが、図では省略している。通気層２１には、隙間を規定する縦長金具が適宜間隔で配置されており、サイディング２２は縦長金具で支持されている。
【００４４】
外側の断熱パネル６の外面にはモルタル層２４を塗工している。土台２の内側には、大引きや根太を介して床板２５が配置されており、床板２５の下面には断熱材２６が張られている。壁は内装パネル２７を備えており、内装パネル２７は巾木２８で支持されている。なお、図示した壁や床の構造は一例であり、他にも様々に具体化できる。
【００４５】
(3).まとめ
既述のとおり、土台２はスペーサ４を介して基礎１に支持されているため、突条１２が過度に潰れることはなくて、高い耐久性を確保できる。特に、免震スペーサ４を使用すると、基礎１と土台２との相対動に追従して突条１２を変形させることが容易になるため、免震機能をしっかりと確保できる。
【００４６】
そして、基礎１と土台２との間の隙間が防蟻性の突条１２でシールされるため、白蟻が基礎１と土台２との間の隙間に入り込むことを阻止して、白蟻による食害を防止できる。特に、実施形態のように、スペーサ４の箇所に発泡シリコーンフォームからなる防蟻層１５を形成すると、白蟻の侵入を土台２の全長にわたってシャットアウトできるため、白蟻の食害防止を確実化できる。
【００４７】
また、発泡シリコーンは大きく弾性変形するため、スペーサ４が免震機能を有する場合、基礎１と土台２とが相対動してもシール性が低下することはない。この点も、本実施形態の大きな利点の一つである。免震機能付きスペーサ４には、上下表面に、水平方向の溝が横断するように形成されている場合があるが、本実施形態では、スペーサ４が防蟻層１５で土台２の内外両側から挟まれているため、白蟻がスペーサ４の溝に入り込むことはできない。従って、白蟻が土台２のボルト挿通穴７に侵入したり、土台２の下方を横切って床下空間に入り込んだりすることはできず、高い防蟻性能を確保できる。
【００４８】
更に、本願発明のように、シート材１１に余白部１１ａを設けてこれを土台２の側面に重ね固定すると、白蟻が基礎１と土台２との間の箇所に至ることは無理になるため、防蟻性能は一層高くなる。なお、基礎１に張っている断熱パネル６にも、チアメトキサム等の防蟻剤が混入されている。従って、基礎部の防蟻性能は極めて高くなっている。
【００４９】
(4).他の実施形態
次に、図７，８に示す他の実施形態を説明する。まず、図７に示す実施形態を説明する。図７の実施形態はパッキン材３の変形例であり、このうち（Ａ）に示す第２実施形態では、シート材１１に、アンカーボルト５の中心が通る縦長中心線３０を表示している。このように縦長中心線３０を設けておくと、図１（Ａ）、図２（Ａ）のようにアンカーボルト５が嵌まるための切り込み１３を形成するにおいて、切り込み１３を正確な位置に形成できる。従って、パッキン材３の横ずれを防止できる。
【００５０】
突条を有する防蟻シートを基礎と土台との間に配置することは特許文献１に記載されているが、基礎にはアンカーボルトが立設されているため、防蟻シートにアンカーボルトを嵌め込まねばならない。この場合、従来は、ナイフ等の刃物で防蟻シートに十字状等の切り込みを入れてから、アンカーボルトを防蟻シートに貫通させているが、刃物で一々切り込みを入れるのは手間であるし、また、切り込みの位置が基礎の幅方向にずれると、防蟻シートの位置決めが不正確になるおそれがあるという問題がある。
【００５１】
この問題を解消すべく図７（Ｂ）に示す第３実施形態では、シート材１１のうちアンカーボルト５の中心が通る箇所にミシン線３１を形成している。この実施形態では、ミシン線３１の箇所をアンカーボルト５に上から押し当てて突き破ることにより、アンカーボルト５が嵌まる穴を容易にかつ正確に形成できる。従って、パッキン材３の配置作業の能率を向上できると共に、シート材１１を正確に位置決めできる。
【００５２】
図７（Ｃ）に示す第４実施形態では、シート材１１のうちアンカーボルト５の中心が通る箇所に、切り込み線３２を飛び飛びで多数形成している。アンカーボルト５が切り込み線３２の箇所に位置する場合は、シート材１１はそのままアンカーボルト５に嵌め込むことができる。アンカーボルト５が隣り合った切り込み線３２のブリッジ部に位置する場合は、そのブリッシ部を手で又は刃物で千切って、２つの切り込み線３２を繋げたらよい。
【００５３】
図７（Ｄ）に示す第５実施形態は第４実施形態の変形例であり、第４実施形態の切り込み線３２に代えてスリット３３を形成している。スリット３３の溝幅は、アンカーボルト５の外径よりも小さい寸法に設定してもよいし、アンカーボルト５の外径と同じ程度に設定してもよい。これら図７の実施形態は、本願発明から独立して、軟質シート材に突条を設けたシール材に広く適用することができる。
【００５４】
図８（Ａ）に示す第６実施形態では、突条１２はシート材１１とは別体に製造してから、これをシート材１１に接着剤（粘着剤）３４でシート材１１に取付けている。そして、接着剤３４の接着力をあまり高くせずに、人が手で引っ張るとシート材１１から引き剥がしできる程度の強さに設定している。従って、図２（Ｂ）（Ｃ）のように突条１２の一部を切除することを、容易に行える。接着剤の接着力を調節することは、例えば、シート材１１の表面に、シリコーン樹脂膜等の接着抑制層を形成するなどしてもよい。
【００５５】
図８（Ｂ）に示す第７実施形態では、シート材１１に３本の突条１２を形成している。突条１２の本数は、土台２の大きさ等に応じて任意に設定できる。図８（Ｃ）に示す第８実施形態では、突条１２を切除せずにそのままスペーサ４を載せて、突条１２をスペーサ４で押し潰している。スペーサ４は両突条１２の外縁の内側に位置しているため、スペーサ４は全体が突条１２で覆われている。
【００５６】
図８（Ｄ）に示す第９実施形態では、２本の土台２を、一方の土台２の側面に他方の土台２の端面が重なる状態に連結している場合において、シート材１１の余白部１１ａで一方の土台２の端面（木口面）に重ねている。既に述べたように、白蟻は木材の木口から侵入することが殆どであるため、このように土台２の木口面を外側からシート材１１で覆っておくと、白蟻の侵入を的確に防止して防蟻性能を向上できる。
【００５７】
図８（Ｅ）に示す第１０実施形態では、スペーサ４の下面に突条１２と同じ材質で小判形の補助スペーサ３５を配置している。補助スペーサ３５は、隣り合った突条１２の間の空間を詰めるもので、突条１２と同じ高さである。施工に際しては、突条１２は切除せず、突条１２と補助スペーサ３５とがスペーサ４で押し潰される。補助スペーサ３５は、スペーサ４とは別に用意しておいて現場でアンカーボルト５に嵌め入れてセットしてもよいし、予めスペーサ４の下面に接着しておいてもよい。
【００５８】
免震（減震）タイプのスペーサ４の場合、上下に重なったプレートを弾性ベルトで連結しているタイプがあり、このタイプでは、スペーサ４の上下両面に、弾性ベルトが嵌まる２本の溝４ａが形成されているが、補助スペーサ３４を溝４ａと平行な姿勢で接着しておくと、溝４ａが突条１２の外側に開口することはないため、図４のような防蟻層１５を不要にすることも可能である。二点鎖線で示すように、シート材１１の長手側縁の箇所にも突条１２を設けると（従って、この場合は４本の突条１２が形成されている）、スペーサ４は突条１２で完全に囲われるため、防蟻効果はより一層確実になる。
【００５９】
以上、本願発明の実施形態を説明したが、本願発明は他にも様々に具体化できる。例えば、シート材を積層構造とすることも可能である。或いは、シート材の表裏両面に突条を形成して、下面の突条よりも上面の突条の高さを高くするといったことも可能である。スペーサの平面形状は円形には限らず、正方形や六角形などの多角形、楕円形、小判形などの様々な形状に形成することも可能である。
【産業上の利用可能性】
【００６０】
本願発明は、実際に気密基礎構造の建物及びパッキン材に具体化できる。従って、産業上利用できる。
【符号の説明】
【００６１】
１  基礎
２  土台
３  パッキン材
４  スペーサ
５  アンカーボルト
６  断熱パネル
７  ボルト挿通穴
１１  シート材
１１ａ  余白部
１２  突条
１３  切り込み
１４  ２液混合吐出ガン
１５  発泡シリコーン製の防蟻層
【図１】
2019027168.tif 000003
【図２】
2019027168.tif 000004
【図３】
2019027168.tif 000005
【図４】
2019027168.tif 000006
【図５】
2019027168.tif 000007
【図６】
2019027168.tif 000008
【図７】
2019027168.tif 000009
【図８】
2019027168.tif 000010